(57)【要約】  本発明は、人体工学に基づいた履物（靴、運動靴などを含み、以下、‘履物’という）に関するものであって、アウトソールの後底に備えられる後踵、及び上記後踵に脱着可能に結合される衝撃吸収キャップを含む。本発明によれば、人が歩く時に発生する外部的衝撃を３次に亘って最大限吸収し、左・右に分離されながらも随時入替えが可能な後踵を備えて、ある一側が速くすり減ることによって足首関節の変化と共に、Ｏ脚またはＸ脚に変化することを予防できるようになる。
2012527297.tif 000002
【特許請求の範囲】
【請求項１】
アウトソールの後底に備えられる後踵と、
前記後踵に脱着可能に結合される衝撃吸収キャップと、
を含むことを特徴とする、Ｏ脚またはＸ脚を予防するための人体均衡履物。
【請求項２】
前記衝撃吸収キャップは前記後踵のうち、足の外側と対応する外側部に結合される第１キャップと、足の外側に対応する外側部に結合される第２キャップとを含み、前記第１キャップ及び前記第２キャップは入替え可能であることを特徴とする、請求項１に記載のＯ脚またはＸ脚を予防するための人体均衡履物。
【請求項３】
前記衝撃吸収キャップは、前記後踵の底面に結合される第１クッション部と、前記後踵の後面に結合される第２クッション部と、前記第１クッション部と前記第２クッション部にラウンド付けるように連結する第３クッション部と、を含むことを特徴とする、請求項１に記載のＯ脚またはＸ脚を予防するための人体均衡履物。
【請求項４】
着用者が歩く時に頸骨が人体のバランスを取って安全な足つきになり、立っている時に頸骨が体重を支えるようにすることで、着用者の足が偏平足化することを防止できるように、前記後踵のうち、足の外側に対応する縁に沿って前記後踵と前記アウトソールの前底との間を連結する連結部材を更に含むことを特徴とする、請求項１に記載のＯ脚またはＸ脚を予防するための人体均衡履物。
【請求項５】
前記衝撃吸収キャップは衝撃吸収強度が互いに異なる複数個で設けられ、着用者の体重によって前記複数個の衝撃吸収キャップのうちのいずれか１つが前記後踵に選択的に結合されることを特徴とする、請求項１に記載のＯ脚またはＸ脚を予防するための人体均衡履物。
【請求項６】
前記アウトソールの上部に備えられる衝撃吸収ユニットをさらに含み、
前記衝撃吸収ユニットは、
踵部の表面に配設される“□”形状の第１クッション桟と、
前記第１クッション桟の中に設置される“＋”形状の第１支持桟と、
足裏部の表面に配設される“□”形状の第２クッション桟と、
前記第２クッション桟の中に設置される“＋”形状の第２支持桟と、
前記第１クッション桟と前記第１支持桟とが交差し、踵が着く所に設置されるクッションボールと、
前記第１クッション桟と前記第１支持桟との間の底に形成される多数個の流入孔と、
前記踵部の外部周り面に壁が立てられて前記足裏部との境界部分に横方向に形成される分配通路と、
前記分配通路と前記足裏部との境界部分に設置され、多数個の供給通路を有する供給通路壁と、
前記足裏部に形成され、前記供給通路壁と連結される空気通路と、
を含むことを特徴とする、請求項１に記載のＯ脚またはＸ脚を予防するための人体均衡履物。
【発明の詳細な説明】
【技術分野】
【０００１】
本発明は人体工学に基づいた履物に関し、より詳しくは、人が歩く時に発生する外部的衝撃を３次に亘って吸収し、履物の後踵の一方が速くすり減って足首関節が徐々に捩れながら脚関節に影響を及ぼして、特に成長期の青少年達の脚がＯ脚またはＸ脚に変形されることを予防し、全ての人々が身体均衡を維持できるように助けを出して、使用者の体重に合うクッションを提供して、最大の安楽さを提供する人体工学的な履物に関するものである。
【背景技術】
【０００２】
一般的に使われている履物は、靴や運動靴を問わず、大部分の履物の底が後踵部分と前底部分とが完全に分離されているので、歩く時に体重移動がスムーズに連結できなくて、とぼとぼ歩くようになる不便性があり、また踵の端部が直角に突出しているので、突出した部分が無駄なひどい衝撃を与えることが多かった。
【０００３】
また、体重移動がスムーズに連結できるように靴底の全体が平平に作られた履物は、小さい物体が靴底に敷かれても全体的な圧迫を提供する等の不便をもたらし、靴底の中央部が膨らんで突出するように作られた履物は、足首関節の運動は完全に無視したままに設計されたせいで、使用者が相当な練習をしなければ安らかな足つきを維持することが困難であり、しかも長い間立っていたり、大衆交通をたくさん利用する場合には、身体のバランスを取るのが難しくて、多くの力を所要するようにする問題があった。
【０００４】
しかも、全ての履物のクッションは使用者の体重を完全に無視したままにスプリングやその他のクッション材を一律的に使用するため、体重の軽い人が利用する場合にはあまり堅くに作用し、体重の重い人が利用する場合にはクッションの機能を正しく遂行できない無用の物になることで、単純な足包みの役割しかできない実状である。
【０００５】
また、従来の履物のクッションは平均体重の人々には衝撃を吸収することにだいぶ助けになるが、スムーズな体重の移動をなされず、履物の踵の一方が先にすり減ることが防止できないので、足首関節の変化をもたらし、特に成長期の青少年達の足首関節の変化によってＯ脚またはＸ脚に変形させる原因として作用するようになる。
【０００６】
延いては、使用者の身体の全体の均衡を崩れるようになって、健康に異常を提供するようになるが、未だこれに対する解決策が提示できていないことが現実である。
【発明の概要】
【発明が解決しようとする課題】
【０００７】
本発明は、このような不便を解消するために案出したものであり、本発明の目的は、履物の後踵を衝撃吸収キャップが設置された状態で人の踵のような形状に形成し、後踵から履物の前底部分まで足のアーチ形態に沿って体重移動がスムーズに進行できるように後踵の外側と前底との間を平平に連結して体重移動がスムーズになるようにし、体重の軽い人、体重の重い人、及び平均的な体重の人とも最も安らかなクッションを感じることができるように‘体重合わせ型クッション’を提供し、靴底の形態を完全に健康な人の足裏形態と類似に形成するようにすることで、たとえ履物を履いて歩いても裸足でふわふわの所を歩きように安らかな状態になり、立っていたり足を若干広げて歩く時にも、足首と脚の骨が一直線になるように履物の外側部分を適当に高めてくれる人体工学的な履物を開発して、現代を生きている生活人達の足と関節、延いては、身体の全体の健康に寄与することができ、特に成長期の青少年達が履物の後踵の変形により足首関節に影響を受けてＯ脚またはＸ脚に徐々に変形されることを予防することができる履物を提供することにある。
【課題を解決するための手段】
【０００８】
上記の目的を達成するための本発明に係るＯ脚またはＸ脚を予防し、使用者の体重に合うクッションを提供する人体均衡履物は、アウトソールの後底に備えられる後踵及び上記後踵に脱着可能に結合される衝撃吸収キャップを含む。
【０００９】
そして、上記衝撃吸収キャップは上記後踵のうち、足の外側と対応する外側部に結合される第１キャップと、足の内側と対応する内側部に結合される第２キャップとを含み、上記第１キャップ及び上記第２キャップは入れ替え可能である。
【００１０】
また、上記衝撃吸収キャップは、上記後踵の底面に結合される第１クッション部と、上記後踵の後面に結合される第２クッション部と、上記第１クッション部と上記第２クッション部にラウンド付けるように連結する第３クッション部と、を含む。
【００１１】
ここで、着用者が歩く時に頸骨が人体のバランスを取って安全な足つきになり、立っている時に頸骨が体重を支えるようにすることで、着用者の足が偏平足化することを防止できるように、上記後踵のうち、足の外側に対応する縁に沿って上記後踵と上記アウトソールの前底との間を連結する連結部材を更に含むことができる。
【００１２】
上記衝撃吸収キャップは衝撃吸収強度が互いに異なる複数個で設けられ、着用者の体重によって上記複数個の衝撃吸収キャップのうちのいずれか１つが上記後踵に選択的に結合される。
【００１３】
また、上記アウトソールの上部に備えられる衝撃吸収ユニットをさらに含み、上記衝撃吸収ユニットは踵部の表面に配設される“□”形状の第１クッション桟、上記第１クッション桟の中に設置される“＋”形状の第１支持桟、足裏部の表面に配設される“□”形状の第２クッション桟、上記第２クッション桟の中に設置される“＋”形状の第２支持桟、上記第１クッション桟と上記第１支持桟とが交差し、踵が着く所に設置されるクッションボール、上記第１クッション桟と上記第１支持桟との間の底に形成される多数個の流入孔、上記踵部の外部周り面に壁が立てられて上記足裏部と境界される部分に横方向に形成される分配通路、上記分配通路と上記足裏部を境界する部分に設置され、多数個の供給通路を有する供給通路壁、及び上記足裏部に形成され、上記供給通路壁と連結される空気通路を含む。
【００１４】
そして、履物の後踵の前部の外側には体重移動がスムーズになることができ、頸骨（足根中足関節または足腰骨の５番目の荒い面）の機能を生かして体重移動時に身体の均衡がよく取られるように後踵からアウトソールの前底部分まで平平に連結する連結部材を形成して、着用者が歩く時に頸骨が人体のバランスを取って安全な足つきになり、立っている時に頸骨が体重を支えるようにすることで、着用者の足が偏平足化することを防止することができる。
【発明の効果】
【００１５】
前述した本発明に従うＯ脚またはＸ脚を予防し、使用者の体重に合うクッションを提供する人体均衡履物によれば、次のような効果がある。
【００１６】
第１に、人体の踵と類似の形態を有する履物の後踵により人間が裸足で歩いたかのように最もスムーズな歩行をすることができ、後踵の直角に突出した角度が人体の踵形態にラウンド付けるようにして、一次的に外部衝撃が減少し、‘衝撃吸収キャップ’の柔らかな弾性により後踵が地面に着く時に２次的に衝撃が吸収されて、足裏と関節保護は勿論、累積衝撃による疲労を減らして日常生活を気楽にすることができる。
【００１７】
第２に、‘衝撃吸収キャップ’は左・右に分離されているので、随時入替えが可能であるので、歩み姿勢が悪くて、ある一側が速くすり減る場合、直ぐに入れ替えて、 履物の左・右の均衡を合わせることができるため、履物の後踵の曲がりによって足首関節が捩れ、それが脚にまで影響を及ぼして成長期青少年がＯ脚またはＸ脚に徐々に変形されることを事前に予防することができ、延いては脊椎の変形による問題まで予防することができるので、正常な人体均衡を維持することに非常に効果的である。
【００１８】
第３に、履物自体で‘体重合わせ型クッション’を提供するため、非常に重い人や非常に軽い人、または平均的な体重を有する人々全てが自分に最も安らかなクッションを選択して使用することができるので、足裏や関節の保護に非常に効果的である。
【００１９】
第４に、履物の底面が人間が進化してきながら最も便利であるように発達した足裏形態とほとんど類似の形態であるので、裸足でふわふわの所を歩いたかのように人間に最も安らかさを提供する人体工学的な履物が得られる。
【００２０】
第５に、特に一方が速くすり減る靴の後踵はよく入れ替えてあげなければ足首関節の変形を防止することができないが、既存の履物は後踵を入れ替えることができなかったり、または修繕所に行って多いお金を支払って入れ替えなければならないので、時間的、金銭的に浪費が多いが、‘衝撃吸収キャップ’を設置した履物は家や事務室で簡単に入れ替えて使用することができるので、時間的や金銭的に非常に経済的である。
【００２１】
したがって、本発明に係るＯ脚またはＸ脚を予防するための人体均衡履物は、最も人体工学的に作られるため、今まで他の履物では全く感じることができなかった安らかさを提供し、特に足裏と関節は勿論、脊椎までも保護することができる効果があるので、成長期の青少年は勿論、成人にも使用価値がある。
【図面の簡単な説明】
【００２２】
【図１】本発明に係る人体均衡履物の底面図である。
【図２】本発明に係る人体均衡履物の‘Ｉ−Ｉ’線による断面図である。
【図３】本発明に係る人体均衡履物の‘ＩＩ−ＩＩ’線による断面図である。
【図４】本発明に係る人体均衡履物における衝撃吸収キャップが脱去された底面図である。
【図５】本発明に係る人体均衡履物における衝撃吸収キャップの他の実施形態を示す斜視図である。
【図６】本発明に係る人体均衡履物の後踵を示す拡大断面図である。
【図７】本発明に係る人体均衡履物の衝撃吸収キャップを示す拡大断面図である。
【図８】本発明に係る衝撃吸収ユニットの底面図である。
【図９】本発明に係る衝撃吸収ユニットの平面図である。
【図１０】図８の‘ＩＩＩ−ＩＩＩ’線の断面図である。
【図１１】図８の‘ＩＶ−ＩＶ’線の断面図である。
【図１２】図８の‘Ｃ’部の断面図である。
【発明を実施するための形態】
【００２３】
本発明を添付した図面を参照して詳細に説明すれば、次の通りである。
【００２４】
図１乃至図３に示すように、本発明に係る人体均衡履物１００は、足を覆いかぶせて収容する甲皮１１０、甲皮１１０の底部に順次に積層されるインソール（図示せず）、ミッドソール１２０、及びアウトソール１３０を含んで構成され、アウトソール１３０の後底に備えられる後踵１４０、及び後踵１４０に結合される衝撃吸収キャップ１５０をさらに備えることができる。
【００２５】
衝撃吸収キャップ１５０は、後踵１４０にクッション機能を提供して後踵１４０に加えられる衝撃を吸収し、必要時に入れ替えるためのものであって、後踵１４０より弾性力が大きい材質で形成されることが好ましい。
【００２６】
次に、図４をさらに参照して説明すると、衝撃吸収キャップ１５０は第１キャップ１５１と第２キャップ１５２とを含み、第１キャップ１５１は後踵１４０のうちの足の外側と対応する外側部１４１に結合され、第２キャップ１５２は後踵１４０のうちの足の内側と対応する内側部１４２に結合される。
【００２７】
このような衝撃吸収キャップ１５０は、後踵１４０に着脱可能に結合されるが、このために衝撃吸収キャップ１５０のうちの第１キャップ１５１には、第１結合突起１５１ａ及び第２結合突起１５１ｂが形成され、後踵１４０の外側部１４１には第１キャップ１５１の第１結合突起１５１ａ及び第２結合突起１５１ｂが各々嵌められる第１結合溝１４１ａ及び第２結合溝１４１ｂが形成される。
【００２８】
この際、第１結合溝１４１ａは後踵１４０の前方側壁に形成され、第２結合溝１４１ｂは後踵１４０の後方側壁に形成されることが好ましく、第１結合突起１５１ａ及び第２結合突起１５１ｂは結合力を向上させるために先端が折り曲げられる形態に形成される。
【００２９】
また、衝撃吸収キャップ１５０のうちの第２キャップ１５２には第３結合突起１５２ａ及び第４結合突起１５２ｂが形成され、後踵１４０の内側部１４２には第２キャップ１５２の第３結合突起１５２ａ及び第４結合突起１５２ｂが各々嵌められる第３結合溝１４２ａ及び第４結合溝１４２ｂが形成される。
【００３０】
この際、第３結合溝１４２ａは後踵１４０の前方側壁に形成され、第４結合溝１４２ｂの後踵１４０の後方側壁に形成されることが好ましく、第３結合突起１５２ａ及び第４結合突起１５２ａは結合力を向上させるために先端が折り曲げられる形態に形成される。
【００３１】
ここで、他の実施形態に、衝撃吸収キャップ１５０に結合溝を形成し、後踵１４０に結合突起を形成することもできる。
【００３２】
一方、図５に示すように、実施形態に従って第１キャップ１５１は縁に沿って延びるように形成された嵌合突起１５１ｃを備え、後踵１４０の外側部１４１には嵌合突起１５１ｃが嵌められて結合されるように後踵１４０の側壁、より詳しくは、外側部１４１の側壁に沿って延びた嵌合溝１４１ｃが形成される。これを通じて、第１キャップ１５１の後踵１４０に全体的に被せられて結合されるように具現することができる。ここで、第２キャップ１５２は上記第１キャップ１５１と同一な形態に形成されるので、その詳細な説明は省略する。
【００３３】
このように、衝撃吸収キャップ１５０が後踵１４０に着脱可能に結合されるため、使用者の体重によって衝撃吸収キャップ１５０の衝撃吸収強度を調節することができる。
【００３４】
即ち、使用者の体重によって最も完壁に衝撃を吸収できるように強度を互いに異なるようにする多数の衝撃吸収キャップ１５０を製作し、使用者の体重によって選択的に後踵１４０に取り付けることで、体重の重い人や、軽い人々とも安らかなクッションが感じられるようにすることができる。
【００３５】
この際、衝撃吸収キャップ１５０が第１キャップ１５１と第２キャップ１５２とに分けられているので、第１キャップ１５１と第２キャップ１５２のうち、少なくともいずれか１つを選択的に入れ替えることができるようになる。
【００３６】
図６及び図７を参照して説明すれば、本発明に係る衝撃吸収キャップ１５０のうち、第１キャップ１５１は後踵１４０の底面に結合される第１クッション部１５１ｄと、後踵１４０の後面に結合される第２クッション部１５１ｅと、上記第１クッション部１５１ｄと上記第２クッション部１５１ｅにラウンド付けるように連結する第３クッション部１５１ｆとを含んで構成されて、後踵１４０の底面と後面とを覆いかぶせるように設置される。ここで、衝撃吸収キャップ１５０のうち、第２キャップ１５２は第１キャップ１５１の形状と対応するように形成されるので、その詳細な説明は省略する。
【００３７】
また、本発明に係る人体均衡履物１００は、連結部材１６０をさらに含むことができるが、このような連結部材１６０は後踵１４０のうち、足の外側に対応する縁に沿って後踵１４０とアウトソール１３０の前底との間を連結して着用者が歩く時、頸骨が人体のバランスを取って安全な足つきとなり、立っている時、頸骨が体重を支えるようにすることで、着用者の足が偏平足化することを防止できるようにする。
【００３８】
この際、後踵１４０と連結部材１６０との間は所定間隔離隔するように形成されることが好ましく、これは第１結合突起１５１ａを第１結合溝１４１ａに結合するための空間を確保するためである。
【００３９】
一方、本発明に係る人体均衡履物１００は、アウトソール１３０の上側に備えられる衝撃吸収ユニット２００をさらに具備することができ、このような衝撃吸収ユニット２００は、ミッドソール１２０やインソールに使用できる。
【００４０】
図８乃至図１０を参照して説明すれば、本発明に係る衝撃吸収ユニット２００は踵部２１０と足裏部２２０からなり、その境界部分に供給通路２２３を有する供給通路壁２２２が設置され、シリコン、ゴム、ウレタンなどの材質で成形される。
【００４１】
踵部２１０は足の踵形態をなしながら形成され、図１１に示すように、その表面に“□”形状の第１クッション桟２１２が配設され、第１クッション桟２１２の中毎に“＋”形状の第１支持桟２１３が設置され、第１クッション桟２１２と第１支持桟２１３とが交差する所毎にクッションボール２１４が設置される。
【００４２】
そして、第１クッション桟２１２と第１支持桟２１３との間の底面には多数個の流入孔２１１が形成される。
【００４３】
クッションボール２１４、第１クッション桟２１２、及び第１支持桟２１３は、上部は狭く、下部は広い形状をなすように形成されるが、クッションボール２１４の高さは約７ｍｍぐらい、クッション桟２１２の高さは約６ｍｍぐらい、支持桟２１３の高さは約５ｍｍぐらいである。
【００４４】
したがって、踵が着く部分である踵部２１０は、第１クッション桟２１２、第１支持桟２１３、及びクッションボール２１４により段階式の多重クッション機能を有するようになる。
【００４５】
そして、踵部２１０の外部周り面には壁が立設され、足裏部１２０との境界部分には横方向に分配通路２１５が形成される。
【００４６】
足裏部２２０は足の踵を除外した足の底形態をなしながら形成され、図１２に示すように、その表面に“□”形状の第２クッション桟２２４が配設され、第２クッション桟２２４の中毎に“＋”形状の第２支持桟２２５が設置されて第２支持桟２２５の横方向と縦方向の高さがそれぞれ異なるように形成されて設置され、足裏部２２０には少なくとも３個の空気通路２２１が足の前方に向けて長く形成される。
【００４７】
そして、図１０に示すように、分配通路２１５と足裏部２２０との境界部分に供給通路２２３を有する供給通路壁２２２が設置され、供給通路２２３は空気通路２２１と連結形成される。
【００４８】
衝撃吸収ユニット２００の上面（インソールまたは足裏が着く面）には使用者の足サイズによって切断して使用できるようにする線が多数個形成され、人体均衡履物１００の内で滑りが防止されるように荒く面処理されて形成される。
【００４９】
このように構成される本発明の衝撃吸収ユニット２００は、射出または成形により製作され、踵部２１０の表面に第１クッション桟２１２と第１支持桟２１３とが交差するように設置され、足裏部２２０の表面に第２クッション桟２２４と第２支持桟２２５とが交差するように設置される一方、足裏部２２０は第２支持桟２２５の横方向と縦方向の高さがそれぞれ異なり、第２クッション桟２２４の高さが第２支持桟２２５より高く形成される。また、踵部２１０の第１クッション桟２１２と第１支持桟２１３にはクッションボール２１４が設置されて、クッションボール２１４の高さが第１クッション桟２１２より高く、第１支持桟２１３の高さは第１クッション桟２１２より低く形成される。
【００５０】
第１クッション桟２１２、第２クッション桟２２４、第１支持桟２１３、第２支持桟２２５、及びクッションボール２１４は、上部は狭く、下部は広く形成されて段階式多重クッションの高低が踵部２１０から足裏部に行くほど低く設置されて緩傾斜を形成して踵が地面から離れる時には空気が流入孔２１１を通じて流入し、踵が地面に着く時は使用者の体重によって流入孔２１１が塞がりながら流入した空気が人体均衡履物１００の前方に供給されるようにするが、この際、空気は流入孔２１１、踵部２１０、分配通路２１５、供給通路壁２２２の供給通路２１３、及び足裏部２２０の空気通路２２１を通じて足の指の間に供給される。
【００５１】
したがって、人体均衡履物１００の内部で強制的に風を起こすようになる一方、人体均衡履物２００の内部の空気を交換されるようにすると共に、人体均衡履物２００の内の高さがそれぞれ異なる段階式の多重クッション機能を同時に遂行する。
【００５２】
このような本発明の衝撃吸収ユニット２００は、足裏側の暑い空気を足の甲側に押し出して人体均衡履物１００の外へ排出するので、人体均衡履物１００の内部の温度を一定に低めて維持されるようにする一方、足裏を一層涼しくし、暑い空気と一緒に多量の湿気を共に排出するようになって、水虫、湿疹などを予防することができ、足の臭いも相当に減らし、糖尿病患者や歩く時間の多い営業社員、その他の汗がたくさん出て足の臭いがひどい人々に助けを出すことができる。
【００５３】
また、踵部２１０の第１クッション桟２１２、第１支持桟２１３、及びクッションボール２１４により段階式の多重クッション機能を遂行するようになるが、このような段階式の多重クッションにより軟らかい芝生を歩いたかのように足を安らかにして衝撃からの疲労をなくすことができ、安らかな指圧性マッサージによって人体の踵の角質がなくなるようになる。
【００５４】
このような本発明の衝撃吸収ユニット２００は、使用者の体重によって最も完壁に衝撃を吸収できるように強度を互いに異にする複数個で設けられ、使用者の体重によって選択的に人体均衡履物１００に取り付けることによって、体重の重い人や軽い人とも、安らかなクッションが感じられるようにすることができる。
【００５５】
次に、本発明に係る人体均衡履物の機能及び作用について説明する。
【００５６】
衝撃吸収キャップ１５０のうち、第１キャップ１５１の第１結合突起１５１ａ及び第２結合突起１５１ｂが後踵１４０の外側部１４１の第１結合溝１４１ａ及び第２結合溝１４１ａに各々嵌合固定され、第２キャップ１５２の第３結合突起１５２ａ及び第４結合突起１５２ｂが後踵１４０の内側部１４２の第３結合溝１４２ａ及び第４結合溝１４２ｂに各々嵌合固定されるので、別途の接着剤を使用しなくても衝撃吸収キャップ１５０を後踵１４０に容易に結合することができ、第１キャップ１５１と第２キャップ１５２のうちのいずれか１つが速くすり減る場合に、該当キャップを選択的に入れ替えることができる。
【００５７】
そして、後踵１４０とアウトソール１３０の前底との間に備えられる連結部材１６０を通じて後踵１４０の外側とアウトソール１３０の前底とが平平に連結されるようにして、体重移動時、断絶無しで頸骨機能の活性化を具現することができる。
【００５８】
また、人が歩行するためには、まず、一方の脚の足首がちょっと開いた状態で前方に張り出され、ある程度前方に張り出された足は地面に着くようになるが、この際、直角に突出した後踵の端部は無駄な衝撃を提供するので、人の踵程度にラウンド付けるように形成して、不要な衝撃を減らすようにする。
【００５９】
片側の足が地面に着いてから、身体の全体が前方に体重移動されると共に、足首関節は直角を過ぎて鋭角になりながら、足の前部分に押して推進力を形成することを左・右交互に繰り返して足つきとなるが、今まで大部分の履物は後踵とアウトソールの前底を完全に段差がつくように分離して体重移動が中間で断絶されながらとぼとぼ歩くようになったり、または靴底の全体を平平にすることで、結果的に全ての人の足を凹足化したり、偏平足化する弊害があった。
【００６０】
しかしながら、本発明に係る人体均衡履物１００は、人の踵のように後踵１４０にラウンド付けるように形成して一次的に衝撃が減って、後踵１４０に左・右２つに分かれて被せられた衝撃吸収キャップ１５０の軟らかい弾力によって２次的に衝撃が吸収され、ミッドソール１２０やインソールに使われる衝撃吸収ユニット２００によって３次的に衝撃を吸収するため、ほとんど完壁な衝撃吸収力により足裏及び関節の保護を期待することができ、特に、後踵１４０に左・右に分けて衝撃吸収キャップ１５０を設置するので、ある一側が速くすり減る場合には簡単に入れ替えて履物のバランスを取ってあげることができるため、後踵１４０の一方がたくさんすり減って曲がった履物による足首関節の変形を防止できるようになり、足首関節の変形が脚関節にまで影響を及ぼして成長期の青少年達の脚がＯ脚またはＸ脚に変形されることを予防することができ、成人やはり正しい身体均衡を維持できるようにして、健康に多い助けになるだけでなく、着用者の体重に合うクッションを提供することで、着用者が裸足で芝生の上を歩くような安らかな感じを提供できるようになる。
【図１】
2012527297.tif 000003
【図２】
2012527297.tif 000004
【図３】
2012527297.tif 000005
【図４】
2012527297.tif 000006
【図５】
2012527297.tif 000007
【図６】
2012527297.tif 000008
【図７】
2012527297.tif 000009
【図８】
2012527297.tif 000010
【図９】
2012527297.tif 000011
【図１０】
2012527297.tif 000012
【図１１】
2012527297.tif 000013
【図１２】
2012527297.tif 000014
【国際調査報告】
2012527297.tif 000015
2012527297.tif 000016
2012527297.tif 000017
2012527297.tif 000018